(57)【要約】【課題】口紅を固定する皿部材の間の口紅を直接唇に塗って、全部の口紅を使い切ることができるようにする。【解決の手段】皿部材を皿部の皿部材皿部Ａと筒部の皿部材筒部Ｂに分け、色々な方法で皿部材皿部Ａと皿部材筒部Ｂを固定し、支持筒Ｅとハカマ部Ｆの回転運動の力よりネジ棒Ｃと皿部材皿部Ａと皿部材筒部Ｂが上昇移動し、口紅Ｈが上昇移動する、筒部材Ｄの上端の部材を内側に曲げ、皿部材筒部Ｂの上昇移動は筒部材Ｄの上端の内側に曲げた部材で止められ、口紅Ｈの上昇移動が停止し、その上昇移動することに必要な回転運動の力の５倍から１００倍の力を支持筒Ｅとハカマ部Ｆの回転運動の力に加えることにより、皿部材皿部Ａと皿部材筒部Ｂの固定が解除され、皿部材筒部Ｂに固定されていた皿部材皿部Ａと口紅Ｈが皿部材筒部Ｂに対して上昇移動を始め、皿部材筒部Ｂの上端と筒部材Ｄの上端より口紅Ｈが全て出るようにする。【選択図】    図１
2004174192.tif 000002
【特許請求の範囲】
【請求項１】
口紅Ｈを固定する皿部材を皿部の皿部材皿部Ａと筒部の皿部材筒部Ｂに分け、皿部材皿部Ａと口紅Ｈの両者を二段階に分けて上昇できるようにするには、皿部材皿部Ａの筒面と皿部材筒部Ｂの内側筒面を接続して取り付け、皿部材皿部Ａの筒面と皿部材筒部Ｂの内側筒面の摩擦力で固定する固定方法、又は、皿部材皿部Ａの筒面と皿部材筒部Ｂの内側筒面のどちらか片方の接続面に穴や溝Ｋを取り付け、もう一方の接続面にその穴や溝Ｋに適合して填め込むことができるスプリングＬを取り付けて固定する固定方法、又は、皿部材皿部Ａの筒面と皿部材筒部Ｂの内側筒面の摩擦力で固定する固定方法、に加えて、皿部材皿部Ａの筒面と皿部材筒部Ｂの内側筒面のどちらか片方の接続面に穴や溝Ｋを取り付け、もう一方の接続面にその穴や溝Ｋに適合して填め込むことができるスプリングＬを取り付けて固定する固定方法、の両者を併用して使い固定する固定方法、又は、皿部材皿部Ａの筒面に雄ネジＭを掘り、皿部材筒部Ｂの内側筒面に雌ネジＮを掘り、皿部材皿部Ａと皿部材筒部Ｂの雄ネジＭと雌ネジＮを固定する固定方法、等色々な方法で皿部材皿部Ａと皿部材筒部Ｂを固定し、支持筒Ｅとハカマ部Ｆの両者の回転運動の力よりネジ棒Ｃと皿部材皿部Ａと皿部材筒部Ｂの三者が上昇移動し、皿部材皿部Ａに取り付けた口紅Ｈが上昇移動する、筒部材Ｄの上端の部材を内側に曲げ、皿部材筒部Ｂの上下移動は筒部材Ｄの上端の内側に曲げた部材で止められ、よって皿部材筒部Ｂの上昇の最上点は皿部材筒部Ｂが筒部材Ｄの上端の内側に曲げた部材と接した場所となり、その場所が皿部材筒部Ｂに固定した皿部材皿部Ａと口紅Ｈの両者の一段目の最上点となり、皿部材皿部Ａと口紅Ｈの両者が二段目の最上点に進むには、皿部材皿部Ａと口紅Ｈの両者が更に上昇するには、固定していた皿部材皿部Ａと皿部材筒部Ｂの固定を解除し、皿部材皿部Ａと口紅Ｈの両者が皿部材筒部Ｂに対して上昇することが必要であるので、支持筒Ｅとハカマ部Ｆの両者の回転運動の力よりネジ棒Ｃと皿部材皿部Ａと皿部材筒部Ｂの三者が同時に上昇移動することに必要な回転運動の力の５倍から１００倍の力を支持筒Ｅとハカマ部Ｆの両者の回転運動の力に加えることにより、皿部材皿部Ａと皿部材筒部Ｂの固定を解除し、皿部材筒部Ｂに対して皿部材皿部Ａと口紅Ｈの両者が上昇し、皿部材皿部Ａと口紅Ｈの両者の上昇を皿部材皿部Ａに取り付けたネジ棒ＣのストッパーＪと支持筒Ｅの接触によって止められた点が皿部材皿部Ａと口紅Ｈの両者の二段目の最上点となり、その場所で全ての口紅Ｈが皿部材筒部Ｂの上端及び筒部材Ｄの上端より外にでるようにする、以上のことを特徴とする口紅等を全て使い切る事ができる口紅等の収納容器。
【請求項２】
口紅Ｈを固定する皿部材を皿部の皿部材皿部Ａと筒部の皿部材筒部Ｂに分け、皿部材筒部Ｂに対して皿部材皿部Ａが上下移動することができる、以上のことを特徴とする口紅等を全て使い切る事ができる口紅等の収納容器。
【発明の詳細な説明】
【０００１】
【発明の属する技術分野】
口紅等を全て使い切る事ができる口紅等の収納容器の技術。
【０００２】
【従来の技術】
皿部材の間に固定された口紅を直接唇に塗って全部の口紅を使い切るのは不可能であり、皿部材の間に固定された口紅を全部使い切るには刷毛等を使用してその部分の口紅を取り出すことが必要である。
【０００３】
【発明が解決しようとする課題】
皿部材の間に固定された口紅を直接唇に塗って、全部の口紅を使い切ることができるようにする。
【０００４】
【課題を解決するための手段】
皿部材を皿部の皿部材皿部Ａと筒部の皿部材筒部Ｂに分け、色々な方法で皿部材皿部Ａと皿部材筒部Ｂを固定し、支持筒Ｅとハカマ部Ｆの回転運動の力よりネジ棒Ｃと皿部材皿部Ａと皿部材筒部Ｂが上昇移動し、口紅Ｈが上昇移動する、筒部材Ｄの上端の部材を内側に曲げ、皿部材筒部Ｂの上昇移動は筒部材Ｄの上端の内側に曲げた部材で止められ、口紅Ｈの上昇移動が停止し、その上昇移動することに必要な回転運動の力の５倍から１００倍の力を支持筒Ｅとハカマ部Ｆの回転運動の力に加えることにより、皿部材皿部Ａと皿部材筒部Ｂの固定が解除され、皿部材筒部Ｂに固定されていた皿部材皿部Ａと口紅Ｈが皿部材筒部Ｂに対して上昇移動を始め、皿部材筒部Ｂの上端と筒部材Ｄの上端より口紅Ｈが全て出るようにする。
【０００５】
【発明の実施の形態】
口紅Ｈ側を上としハカマ部Ｆ側を下として、口紅Ｈを固定する皿部材を皿部の皿部材皿部Ａと筒部の皿部材筒部Ｂに分け、皿部材皿部Ａと口紅Ｈの両者を二段階に分けて上昇できるようにするには、皿部材皿部Ａの筒面と皿部材筒部Ｂの内側筒面を接続して取り付け、皿部材皿部Ａの筒面と皿部材筒部Ｂの内側筒面の摩擦力で固定する固定方法、又は、皿部材皿部Ａの筒面の接続面に穴や溝Ｋを取り付け、その穴や溝Ｋに適合して填め込むことができるスプリングＬを皿部材筒部Ｂの内側筒面の接続面に取り付けて固定する固定方法、又は、皿部材筒部Ｂの内側筒面の接続面に穴や溝Ｋを取り付け、その穴や溝Ｋに適合して填め込むことができるスプリングＬを皿部材皿部Ａの筒面の接続面に取り付けて固定する固定方法、又は、皿部材皿部Ａの筒面と皿部材筒部Ｂの内側筒面の摩擦力で固定する固定方法、に加えて、皿部材皿部Ａの筒面と皿部材筒部Ｂの内側筒面のどちらか片方の接続面に穴や溝Ｋを取り付け、もう一方の接続面にその穴や溝Ｋに適合して填め込むことができるスプリングＬを取り付けて固定する固定方法、の両者を併用して使い固定する固定方法、又は、皿部材皿部Ａの筒面に雄ネジＭを掘り、皿部材筒部Ｂの内側筒面に雌ネジＮを掘り、皿部材皿部Ａと皿部材筒部Ｂの雄ネジＭと雌ネジＮを固定する固定方法、等色々な方法で皿部材皿部Ａと皿部材筒部Ｂを固定し、皿部材皿部Ａと口紅Ｈの両者の第一段目の上昇として、支持筒Ｅとハカマ部Ｆの両者の回転運動の力よりネジ棒Ｃと皿部材皿部Ａと皿部材筒部Ｂの三者が上昇移動し、皿部材皿部Ａに取り付けた口紅Ｈが上昇移動する、筒部材Ｄの上端の部材を内側に曲げ、皿部材筒部Ｂの上下移動は筒部材Ｄの上端の内側に曲げた部材で止められ、よって皿部材筒部Ｂの上昇の最上点は皿部材筒部Ｂが筒部材Ｄの上端の内側に曲げた部材と接した場所となり、その場所が皿部材筒部Ｂに固定した皿部材皿部Ａと口紅Ｈの両者の一段目の最上点となり、この状態では皿部材筒部Ｂの内側の口紅Ｈが口紅の収納容器及び皿部材筒部Ｂより外に出ていない、皿部材皿部Ａと口紅Ｈの両者が二段目の最上点に進むには、皿部材皿部Ａと口紅Ｈの両者が更に上昇するには、固定していた皿部材皿部Ａと皿部材筒部Ｂの固定を解除し、皿部材皿部Ａと口紅Ｈの両者が皿部材筒部Ｂに対して上昇することが必要であるので、支持筒Ｅとハカマ部Ｆの両者の回転運動の力よりネジ棒Ｃと皿部材皿部Ａと皿部材筒部Ｂの三者が同時に上昇移動することに必要な回転運動の力の５倍から１００倍の力を支持筒Ｅとハカマ部Ｆの両者の回転運動の力に加えることにより、つまり、皿部材皿部Ａと口紅Ｈの両者が上昇する第一段目の力の５倍から１００倍の力を支持筒Ｅとハカマ部Ｆの両者の回転運動の力に加えることにより、皿部材皿部Ａと皿部材筒部Ｂの固定を解除し、皿部材筒部Ｂに対して皿部材皿部Ａと口紅Ｈの両者が上昇し、皿部材皿部Ａと口紅Ｈの両者の上昇を皿部材皿部Ａに取り付けたネジ棒ＣのストッパーＪと支持筒Ｅの接触によって止められた点が皿部材皿部Ａと口紅Ｈの両者の二段目の最上点となり、その場所で全ての口紅Ｈが皿部材筒部Ｂの上端及び筒部材Ｄの上端より外にでるようにする、以上のことを特徴とする口紅等を全て使い切る事ができる口紅等の収納容器。
【０００６】
【実施例】
口紅Ｈを固定する皿部材を皿部の皿部材皿部Ａと筒部の皿部材筒部Ｂに分け、皿部材皿部Ａと口紅Ｈの両者を二段階に分けて上昇できるようにするには、皿部材皿部Ａの筒面と皿部材筒部Ｂの内側筒面の摩擦力で固定する固定方法、に加えて、皿部材皿部Ａの筒面と皿部材筒部Ｂの内側筒面のどちらか片方の接続面に穴や溝Ｋを取り付け、もう一方の接続面にその穴や溝Ｋに適合して填め込むことができるスプリングＬを取り付けて固定する固定方法、の両者を併用して使い固定する固定方法で、皿部材皿部Ａの筒面と皿部材筒部Ｂの内側筒面を接続して取り付け、支持筒Ｅとハカマ部Ｆの両者の回転運動の力よりネジ棒Ｃと皿部材皿部Ａと皿部材筒部Ｂの三者が上昇移動し、皿部材皿部Ａに取り付けた口紅Ｈが上昇移動する、筒部材Ｄの上端の部材を内側に曲げ、皿部材筒部Ｂの上下移動は筒部材Ｄの上端の内側に曲げた部材で止められ、よって皿部材筒部Ｂの上昇の最上点は皿部材筒部Ｂが筒部材Ｄの上端の内側に曲げた部材と接した場所となり、その場所が皿部材筒部Ｂに固定した皿部材皿部Ａと口紅Ｈの両者の一段目の最上点となり、皿部材皿部Ａと口紅Ｈの両者が二段目の最上点に更に上昇するには、固定していた皿部材皿部Ａと皿部材筒部Ｂの固定を解除し、皿部材皿部Ａと口紅Ｈの両者が皿部材筒部Ｂに対して上昇することが必要であるので、支持筒Ｅとハカマ部Ｆの両者の回転運動の力よりネジ棒Ｃと皿部材皿部Ａと皿部材筒部Ｂの三者が同時に上昇移動することに必要な回転運動の力の２０倍の力を支持筒Ｅとハカマ部Ｆの両者の回転運動の力に加えることにより、皿部材皿部Ａと皿部材筒部Ｂの固定を解除し、皿部材筒部Ｂに対して皿部材皿部Ａと口紅Ｈの両者が上昇し、皿部材皿部Ａと口紅Ｈの両者の上昇を皿部材皿部Ａに取り付けたネジ棒ＣのストッパーＪと支持筒Ｅの接触によって止められた点が皿部材皿部Ａと口紅Ｈの両者の二段目の最上点となり、その場所で全ての口紅Ｈが皿部材筒部Ｂの上端及び筒部材Ｄの上端より外にでるようにする。
【０００７】
【発明の効果】
口紅を固定する皿部材皿部と皿部材筒部の間の口紅を直接唇に塗ることができ、全部の口紅を使い切ることができる。
【図面の簡単な説明】
【図１】
【図１−１断面図】皿部材皿部Ａと口紅Ｈの一段目の最上点の図。口紅Ｈを固定する皿部材を皿部の皿部材皿部Ａと筒部の皿部材筒部Ｂに分け、皿部材皿部Ａと皿部材筒部Ｂを固定し、支持筒Ｅ等の回転運動により皿部材皿部Ａと皿部材筒部Ｂが上昇し、皿部材筒部Ｂの上昇移動が筒部材Ｄの上端の内側に曲げた部材で止められた図。
【図１−２断面図】皿部材皿部Ａと口紅Ｈの二段目の最上点の図。皿部材筒部Ｂの上昇移動が筒部材Ｄの上端の内側に曲げた部材で止められ、皿部材皿部Ａと皿部材筒部Ｂの固定が解除され、皿部材筒部Ｂに対して皿部材皿部Ａと口紅Ｈが上昇移動し、皿部材筒部Ｂの上端と筒部材Ｄの上端より口紅Ｈが全て出るようになった図。
【図２】口紅Ｈを固定する皿部材を皿部の皿部材皿部Ａと筒部の皿部材筒部Ｂに分け、皿部材皿部Ａの筒面と皿部材筒部Ｂの内側筒面を接続して取り付け、皿部材皿部Ａの筒面と皿部材筒部Ｂの内側筒面の摩擦力で、皿部材皿部Ａと皿部材筒部Ｂを固定する固定方法の皿部材皿部Ａと皿部材筒部Ｂの図。
【図３】口紅Ｈを固定する皿部材を皿部の皿部材皿部Ａと筒部の皿部材筒部Ｂに分け、皿部材皿部Ａの筒面と皿部材筒部Ｂの内側筒面を接続して取り付け、皿部材皿部Ａの筒面と皿部材筒部Ｂの内側筒面の摩擦力で固定する固定方法、に加えて、皿部材皿部Ａの筒面と皿部材筒部Ｂの内側筒面のどちらか片方の接続面に穴や溝Ｋを取り付け、もう一方の接続面にその穴や溝Ｋに適合して填め込むことができるスプリングＬを取り付けて固定する固定方法、の両者を併用して使い固定する固定方法、の内、皿部材皿部Ａの筒面と皿部材筒部Ｂの内側筒面の摩擦力で固定する固定方法、に加えて、皿部材筒部Ｂの内側筒面に溝Ｋを取り付け、皿部材筒部Ｂの内側筒面の溝Ｋに適合して填め込むことができるスプリングＬを皿部材皿部Ａの筒面に取り付けて固定する固定方法の皿部材皿部Ａと皿部材筒部Ｂの図。
【図４】口紅Ｈを固定する皿部材を皿部の皿部材皿部Ａと筒部の皿部材筒部Ｂに分け、皿部材皿部Ａの筒面と皿部材筒部Ｂの内側筒面を接続して取り付け、皿部材皿部Ａの筒面に雄ネジＭを掘り、皿部材筒部Ｂの内側筒面に雌ネジＮを掘り、皿部材皿部Ａと皿部材筒部Ｂの雄ネジＭと雌ネジＮを固定する固定方法の皿部材皿部Ａと皿部材筒部Ｂの図。
【符号の説明】
Ａ：皿部材皿部、    Ｂ：皿部材筒部、    Ｃ：ネジ棒、    Ｄ：筒部材、
Ｅ：支持筒、        Ｆ：ハカマ部材、    Ｇ：ネジ部、    Ｈ：口紅、
Ｊ：ネジ棒Ｃのストッパー、              Ｋ：溝、
Ｌ：溝Ｋに適合して填め込むことができるスプリング、
Ｍ：皿部材皿部Ａの筒面に取り付けた雄ネジ、
Ｎ：皿部材筒部Ｂの内側筒面に取り付けた雌ネジ
【図１】
2004174192.tif 000003
【図２】
2004174192.tif 000004
【図３】
2004174192.tif 000005
【図４】
2004174192.tif 000006
【手続補正書】
【提出日】平成15年4月28日(2003.4.28)
【手続補正１】
【補正対象書類名】明細書
【補正対象項目名】特許請求の範囲
【補正方法】変更
【補正の内容】
【特許請求の範囲】
【請求項１】
口紅等を全て使い切る事ができる口紅等の収納容器で、口紅Ｈ側を上としハカマ部Ｆ側を下として、口紅Ｈを固定する皿部材を皿部の皿部材皿部Ａと筒部の皿部材筒部Ｂとに分ける構造として、皿部材皿部Ａの筒面と皿部材筒部Ｂの内側筒面とを接続して取り付けて固定する構造の固定方法は、皿部材皿部Ａの筒面と皿部材筒部Ｂの内側筒面との摩擦力で固定する構造の固定方法、又は、皿部材皿部Ａの筒面の接続面に穴や溝Ｋを取り付けて、その穴や溝Ｋに適合して填め込むことができるスプリングＬを皿部材筒部Ｂの内側筒面の接続面に取り付けて固定する構造の固定方法、又は、皿部材筒部Ｂの内側筒面の接続面に穴や溝Ｋを取り付けて、その穴や溝Ｋに適合して填め込むことができるスプリングＬを皿部材皿部Ａの筒面の接続面に取り付けて固定する構造の固定方法、又は、皿部材皿部Ａの筒面に雄ネジＭを掘って、皿部材筒部Ｂの内側筒面に雌ネジＮを掘って、皿部材皿部Ａと皿部材筒部Ｂとの雄ネジＭと雌ネジＮを固定する構造の固定方法、等色々な構造の固定方法で皿部材皿部Ａと皿部材筒部Ｂとを固定して、皿部材皿部Ａと口紅Ｈとの両者を二段階に分けて上昇できる構造にするには、先ず、皿部材皿部Ａと口紅Ｈとの両者の第一段目の上昇として、支持筒Ｅとハカマ部Ｆとの両者の回転運動の力によりネジ棒Ｃが上昇移動する構造として、つまり、支持筒Ｅとハカマ部Ｆとの両者の回転運動の力によりネジ棒Ｃと皿部材皿部Ａと皿部材筒部Ｂとの三者が上昇移動する構造として、同時に皿部材皿部Ａに取り付けた口紅Ｈが上昇移動する構造となり、筒部材Ｄの上端の部材を内側に曲げる構造として、筒部材Ｄの上端の内側に曲げた部材により皿部材筒部Ｂの上下移動が止められる構造となり、そのために、皿部材筒部Ｂの上昇の最上点は、筒部材Ｄの上端の内側に曲げた部材と皿部材筒部Ｂとが接した場所となり、この場所が皿部材筒部Ｂに固定した皿部材皿部Ａと口紅Ｈとの両者の一段目の最上点となる構造となり、しかし、この状態では、口紅の収納容器及び皿部材筒部Ｂから皿部材筒部Ｂの内側の口紅Ｈが外に出ていない、次に、皿部材皿部Ａと口紅Ｈとの両者が二段目の最上点に進む構造にするには、つまり、皿部材皿部Ａと口紅Ｈとの両者が更に上昇する構造にするには、固定していた皿部材皿部Ａと皿部材筒部Ｂとの固定を解除する構造にして、皿部材皿部Ａと口紅Ｈとの両者が皿部材筒部Ｂに対して上昇することが必要であり、それには、支持筒Ｅとハカマ部Ｆとの両者の回転運動の力よりネジ棒Ｃと皿部材皿部Ａと皿部材筒部Ｂとの三者が同時に上昇移動することに必要な回転運動の力の５倍から１００倍の力を支持筒Ｅとハカマ部Ｆとの両者の回転運動の力に加えることにより、つまり、皿部材皿部Ａと口紅Ｈとの両者が上昇する第一段目の力の５倍から１００倍の力を支持筒Ｅとハカマ部Ｆとの両者の回転運動の力に加えることにより、今まで固定されていた皿部材皿部Ａと皿部材筒部Ｂとの固定を解除する構造にすることにより、皿部材筒部Ｂに対して皿部材皿部Ａと口紅Ｈとの両者が上昇する構造となり、しかし、皿部材皿部Ａに取り付けたネジ棒ＣのストッパーＪと支持筒Ｅとの接触する構造にすることにより、皿部材皿部Ａと口紅Ｈとの両者の上昇を止められた点が皿部材皿部Ａと口紅Ｈとの両者の二段目の最上点となる構造となり、この場所で全ての口紅Ｈが皿部材筒部Ｂの上端及び筒部材Ｄの上端より外にでる構造になる、以上のことを特徴とする口紅等を全て使い切る事ができる口紅等の収納容器。
【請求項２】
口紅等を全て使い切る事ができる口紅等の収納容器で、口紅Ｈ側を上としハカマ部Ｆ側を下として、口紅Ｈを固定する皿部材を皿部の皿部材皿部Ａと筒部の皿部材筒部Ｂとに分ける構造として、皿部材皿部Ａの筒面と皿部材筒部Ｂの内側筒面とを接続して取り付けて固定する構造の固定方法は、皿部材皿部Ａの筒面と皿部材筒部Ｂの内側筒面との摩擦力で固定する構造の固定方法、に加えて、皿部材皿部Ａの筒面と皿部材筒部Ｂの内側筒面とのどちらか片方の接続面に穴や溝Ｋを取り付けて、もう一方の接続面にその穴や溝Ｋに適合して填め込むことができるスプリングＬを取り付けて固定する構造の固定方法、の両者を併用して使い固定する構造の固定方法で皿部材皿部Ａと皿部材筒部Ｂとを固定して、皿部材皿部Ａと口紅Ｈとの両者を二段階に分けて上昇できる構造にするには、先ず、皿部材皿部Ａと口紅Ｈとの両者の第一段目の上昇として、支持筒Ｅとハカマ部Ｆとの両者の回転運動の力によりネジ棒Ｃが上昇移動する構造として、つまり、支持筒Ｅとハカマ部Ｆとの両者の回転運動の力によりネジ棒Ｃと皿部材皿部Ａと皿部材筒部Ｂとの三者が上昇移動する構造として、同時に皿部材皿部Ａに取り付けた口紅Ｈが上昇移動する構造となり、筒部材Ｄの上端の部材を内側に曲げる構造として、筒部材Ｄの上端の内側に曲げた部材により皿部材筒部Ｂの上下移動が止められる構造となり、そのために、皿部材筒部Ｂの上昇の最上点は、筒部材Ｄの上端の内側に曲げた部材と皿部材筒部Ｂとが接した場所となり、この場所が皿部材筒部Ｂに固定した皿部材皿部Ａと口紅Ｈとの両者の一段目の最上点となる構造となり、しかし、この状態では、口紅の収納容器及び皿部材筒部Ｂから皿部材筒部Ｂの内側の口紅Ｈが外に出ていない、次に、皿部材皿部Ａと口紅Ｈとの両者が二段目の最上点に進む構造にするには、つまり、皿部材皿部Ａと口紅Ｈとの両者が更に上昇する構造にするには、固定していた皿部材皿部Ａと皿部材筒部Ｂとの固定を解除する構造にして、皿部材皿部Ａと口紅Ｈとの両者が皿部材筒部Ｂに対して上昇することが必要であり、それには、支持筒Ｅとハカマ部Ｆとの両者の回転運動の力よりネジ棒Ｃと皿部材皿部Ａと皿部材筒部Ｂとの三者が同時に上昇移動することに必要な回転運動の力の５倍から１００倍の力を支持筒Ｅとハカマ部Ｆとの両者の回転運動の力に加えることにより、つまり、皿部材皿部Ａと口紅Ｈとの両者が上昇する第一段目の力の５倍から１００倍の力を支持筒Ｅとハカマ部Ｆとの両者の回転運動の力に加えることにより、今まで固定されていた皿部材皿部Ａと皿部材筒部Ｂとの固定を解除する構造にすることにより、皿部材筒部Ｂに対して皿部材皿部Ａと口紅Ｈとの両者が上昇する構造となり、しかし、皿部材皿部Ａに取り付けたネジ棒ＣのストッパーＪと支持筒Ｅとの接触する構造にすることにより、皿部材皿部Ａと口紅Ｈとの両者の上昇を止められた点が皿部材皿部Ａと口紅Ｈとの両者の二段目の最上点となる構造となり、この場所で全ての口紅Ｈが皿部材筒部Ｂの上端及び筒部材Ｄの上端より外にでる構造になる、以上のことを特徴とする口紅等を全て使い切る事ができる口紅等の収納容器。